【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
送信機から受信機へのハイブリッド自動再送要求「ＨＡＲＱ」再送信失敗時にパケットデータを再送信する方法であって、該方法は、
ハンドオーバが表示されているかどうかを決定するステップと、
ハンドオーバが表示されている場合、再断片化を終了するステップと、
ハンドオーバが表示されていない場合、
ＨＡＲＱ送信エラー性能特性に対する変化のうちの少なくとも１つが閾値よりも大きいかどうか、そしてチャネル状態の劣化が表示されているチャネル状態閾値およびチャネル状態閾値未満のうちの１つであるかどうかをチェックするステップと、
イエスの場合、
無線リンク制御レイヤサービスデータユニット「ＲＬＣ−ＳＤＵ」およびまたは無線リンク制御レイヤプロトコルデータユニット「ＲＬＣ−ＰＤＵ」のデータのうちの１つをより小さなＰＤＵデータサイズに再断片化するステップと、
該再断片化されたＲＬＣ−ＰＤＵデータを送信するステップと、
イエスでない場合、
以前のＲＬＣ−ＰＤＵデータを再送信するステップと
を包含する、方法。
【請求項２】
前記チェックするステップの前に、ハンドオーバが表示されているかどうかを決定するステップと、イエスの場合、前記再送信処理を終了するステップとをさらに包含する、請求項１に記載の方法。
【請求項３】
前記ハンドオーバは、無線リソース制御プロトコルまたはレイヤ２レベル信号伝達によって表示される、請求項２に記載の方法。
【請求項４】
前記無線リソース制御プロトコルは、測定報告またはレイヤ２レベル信号伝達が、受信または生成されるときに、ハンドオーバが期待されるかどうかを表示する、請求項３に記載の方法。
【請求項５】
前記チェックするステップの前に、カバー範囲外の状態が表示されているかどうかを決定するステップと、該カバー範囲外の状態が表示されている場合、前記再送信処理を終了するステップとをさらに包含する、請求項１に記載の方法。
【請求項６】
前記カバー範囲外の状態は、
受信した最終チャネル品質インジケータ「ＣＱＩ」時間が、時間閾値より大きいかどうかをチェックすることによって決定される、請求項５に記載の方法。
【請求項７】
前記カバー範囲外の状態は、前記受信機からの肯定応答「ＡＣＫ」または否定応答「ＮＡＣＫ」のうちの１つの受信に連続して失敗した回数が、構成可能な閾値を超える場合に決定される、請求項５に記載の方法。
【請求項８】
前記カバー範囲外の状態は、物理層が、前記受信機がカバー範囲外であることを決定する場合に決定される、請求項５に記載の方法。
【請求項９】
前記方法は、送信機の無線リンク制御「ＲＬＣ」レベルで実行される、請求項１に記載の方法。
【請求項１０】
断片化は、メディアアクセス制御「ＭＡＣ」層で実行される、請求項１に記載の方法。
【請求項１１】
断片サイズは、前記ＭＡＣ層によって、ＲＬＣ層に報告される、請求項１０に記載の方法。
【請求項１２】
カバー範囲外の状態は、前記ＭＡＣ層からＲＬＣ層に報告される、請求項１０に記載の方法。
【請求項１３】
前記再断片化されたデータは、ＲＬＣ層からＭＡＣ層に渡される、請求項１に記載の方法。
【請求項１４】
勾配チャネル品質インジケータが、勾配閾値未満であるかどうかを決定することによって、前記ＨＡＲＱは、チャネル状態の劣化をチェックする、請求項１に記載の方法。
【請求項１５】
前記勾配チャネル品質インジケータが、前記勾配閾値未満である場合、前記方法は、最終チャネル品質インジケータに対する符号化速度、または直近で受信したＣＱＩの平均、および前記受信機に対する無線リソースの利用可能性が、閾値より大きいかどうかをチェックするステップと、
イエスの場合、新たな断片サイズを有するＨＡＲＱ再送信失敗を信号伝達するステップと、
ノーの場合、ＨＡＲＱ再送信失敗を信号伝達するステップと
をさらに包含する、請求項１４に記載の方法。
【請求項１６】
再断片化層を備え、無線チャネル状態に従って、ハイブリッド自動再送要求「ＨＡＲＱ」再送信失敗時のデータをより適切なサイズに再断片化するように適合されたモバイルネットワークにおける送信機であって、該再断片化層は、
ハンドオーバが表示されているかどうかを決定することと、
ハンドオーバが表示されている場合には、再断片化を終了することと、
ハンドオーバが表示されていない場合には、
ハイブリッド自動再送要求「ＨＡＲＱ」送信エラー性能特性に対する変化のうちの少なくとも１つが閾値よりも大きいかどうか、そしてチャネル状態の劣化が表示されているかどうか、そしてチャネル状態の劣化が表示されているチャネル状態閾値およびチャネル状態閾値未満のうちの１つであるかどうかをチェックすることと、
イエスの場合、
無線リンク制御レイヤサービスデータユニット「ＲＬＣ−ＳＤＵ」およびまたは無線リンク制御レイヤプロトコルデータユニット「ＲＬＣ−ＰＤＵ」のデータのうちの１つをより小さなＰＤＵデータサイズに再断片化することと、
該再断片化されたＲＬＣ−ＰＤＵデータを送信することと、
イエスでない場合、
以前のＲＬＣ−ＰＤＵデータを再送信することと
を行うように適合されている、送信機。
【請求項１７】
前記再断片化層は、ＲＬＣ層またはＭＡＣ層を備える、請求項１６に記載の送信機。
【請求項１８】
前記再断片化層は、ハンドオーバが表示されているかどうかを決定して、イエスの場合、前記再送信処理を終了するように適合されている、請求項１６に記載の送信機。
【請求項１９】
前記ハンドオーバが、無線リソース制御プロトコルまたはレイヤ２レベル信号伝達によって表示される、請求項１８に記載の送信機。
【請求項２０】
前記無線リソース制御プロトコルは、測定報告またはレイヤ２レベル信号伝達が、受信または生成されるときに、ハンドオーバが期待されるかどうかを表示する、請求項１９に記載の送信機。
【請求項２１】
カバー範囲外の状態が表示されているかどうかを決定して、イエスの場合、前記再送信処理を終了するようにさらに適合される、請求項１６に記載の送信機。
【請求項２２】
前記カバー範囲外の状態は、受信した最終チャネル品質インジケータ「ＣＱＩ」時間が時間閾値より大きいかどうかをチェックすることによって表示されるかどうかを決定するように適合される、請求項２１に記載の送信機。
【請求項２３】
前記送信機は、前記カバー範囲外の状態が、受信機および送信機のうちの１つからの肯定応答「ＡＣＫ」または否定応答「ＮＡＣＫ」のうちの１つの受信に連続して失敗した回数が、所定の閾値を超える場合に表示されるかどうかを決定するように適合される、請求項２１に記載の送信機。
【請求項２４】
前記送信機は、前記勾配チャネル品質インジケータが、勾配閾値未満であるかどうかを決定することにより、チャネル状態の劣化をチェックするように適合される、請求項１６に記載の送信機。
【請求項２５】
前記勾配チャネル品質インジケータが、前記勾配閾値以上である場合に、前記送信機が最終チャネル品質インジケータに対する符号化速度が、符号化速度閾値より大きいかどうかをチェックして、
イエスの場合、新たな断片サイズを有するＨＡＲＱ再送信失敗を信号伝達することと、
ノーの場合、ＨＡＲＱ再送信失敗を信号伝達することと
を行うように適合されている、請求項２４に記載の送信機。
【請求項２６】
送信機から受信機へのハイブリッド自動再送要求「ＨＡＲＱ」再送信失敗時にパケットデータを再送信する方法であって、該方法は、
無線リンク制御レイヤサービスデータユニット「ＲＬＣ−ＳＤＵ」および無線リンク制御レイヤプロトコルデータユニット「ＲＬＣ−ＰＤＵ」のデータのうちのどちらか１つが再断片化されるべきであるかを決定するために、再断片化処理を開始することと、
ハンドオーバが表示されるかどうかをチェックすることと、
該チェックすることに応答して、該再断片化処理を終了することと
を包含する、方法。
【請求項２７】
前記再断片化処理は、ＨＡＲＱ送信エラー性能特性に対する変化のうちの少なくとも１つが閾値よりも大きいかどうかをチェックすることと、チャネル状態の劣化が、表示されるチャネル状態閾値と、そしてチャネル状態閾値未満とのうちのどちらか１つであることとをチェックすることとをさらに包含し、
イエスの場合、
前記ＲＬＣ−ＳＤＵデータおよびＲＬＣ−ＰＤＵデータのうちの１つをより小さなＰＤＵデータサイズに再断片化することと、
該再断片化されたＲＬＣ−ＰＤＵデータを送信することと、
イエスでない場合、
以前のＲＬＣ−ＰＤＵデータを再送信することと
を包含する、請求項２６に記載の方法。
【請求項２８】
前記チェックするステップの前に、前記ハンドオーバが表示されるかどうかを決定するステップと、該ハンドオーバが表示される場合に前記再送信を終了するステップとをさらに包含する、請求項２７に記載の方法。
【請求項２９】
前記ハンドオーバが無線リソース制御プロトコルまたはレイヤ２レベル信号伝達によって表示される、請求項２６に記載の方法。
【請求項３０】
前記無線リソース制御プロトコルは、測定報告またはレイヤ２レベル信号伝達が、受信または生成されるときに、ハンドオーバが期待されるかどうかを表示する、請求項２９に記載の方法。
【請求項３１】
前記チェックするステップの前に、カバー範囲外の状態が表示されているかどうかを決定するステップと、該カバー範囲外の状態が表示されている場合、前記再送信処理を終了するステップとをさらに包含する、請求項２７に記載の方法。
【請求項３２】
前記カバー範囲外の状態は、
受信した最終チャネル品質インジケータ「ＣＱＩ」時間が、時間閾値より大きいかどうかをチェックすることによって決定される、請求項３１に記載の方法。
【請求項３３】
前記カバー範囲外の状態は、前記受信機からの肯定応答「ＡＣＫ」および否定応答「ＮＡＣＫ」のうちの１つの受信に連続して失敗した回数が、構成可能な閾値を超える場合に決定される、請求項３１に記載の方法。
【請求項３４】
前記カバー範囲外の状態は、物理層が前記受信機はカバー範囲外であることを決定する場合に決定される、請求項３１に記載の方法。
【請求項３５】
前記方法は、送信機の無線リンク制御「ＲＬＣ」レベルで実行される、請求項２６に記載の方法。
【請求項３６】
断片化は、メディアアクセス制御「ＭＡＣ」層で実行される、請求項２６に記載の方法。
【請求項３７】
断片サイズは、前記ＭＡＣ層によって、ＲＬＣ層に報告される、請求項３６に記載の方法。
【請求項３８】
カバー範囲外の状態は、前記ＭＡＣ層からＲＬＣ層に報告される、請求項３６に記載の方法。
【請求項３９】
前記再断片化されたデータは、ＲＬＣ層からＭＡＣ層に渡される、請求項２７に記載の方法。
【請求項４０】
勾配チャネル品質インジケータが、勾配閾値未満であるかどうかを決定することによって、前記ＨＡＲＱは、チャネル状態の劣化をチェックする、請求項２７に記載の方法。
【請求項４１】
前記勾配チャネル品質インジケータが、前記勾配閾値未満である場合、前記方法は、最終チャネル品質インジケータに対する符号化速度、または直近で受信したＣＱＩの平均、および前記受信機に対する無線リソースの利用可能性が、閾値より大きいかどうかをチェックするステップと、
イエスの場合、新たな断片サイズを有するＨＡＲＱ再送信失敗を信号伝達するステップと、
ノーの場合、ＨＡＲＱ再送信失敗を信号伝達するステップと
をさらに包含する、請求項４０に記載の方法。